(57)【要約】  【課題】衝撃によって鏡胴に光軸方向の大きな力が加わっても、フォロアーピンがカム溝から外れてしまわないように構成した沈胴式のカメラ用レンズ鏡胴を提供すること。  【解決手段】モータによって歯車１２が回転すると、回転筒１３とカム筒１４とは、一体的に回転しながら光軸方向へも移動させられる。カム筒１４には、４種類のカム溝が複数ずつ形成されていて、それらに、直進筒１７，補助筒１６，第１移動部材２４，第２移動部材２５の各フォロアーピン１７ａ，１６ａ，２４ａ，２５ａが嵌合させられているが、直進筒１７のフォロアーピン１７ａが嵌合するカム溝１４ｄだけは、貫通溝として形成されている。そのため、直進筒１７に光軸方向の力が加わっても、フォロアーピン１７ａは、光軸に対して９０度となるように形成されたカム溝１４ｄの接触面に線接触するので、両者の間にカム作用が生じず、カム溝１４ｄから外れてしまうことがない。【選択図】  図５
2008040427.tif 000002
【特許請求の範囲】
【請求項１】
同一形状のカム溝を複数有していて本体部材の被写体側に固定されている第１筒と、前記第１筒の内側に配置されていて駆動手段によって回転させられたとき前記第１筒のカム溝に案内されて光軸方向へも移動させられ前記第１筒に出入りする第２筒と、複数種類の形状のカム溝を複数ずつ有していて前記第２筒の内側に配置されており該複数種類のカム溝のうち少なくとも１種類のカム溝を貫通溝として形成している第３筒と、一番被写体側に配置された第１レンズ群を保持していると共に前記第３筒に貫通溝として形成されている所定の種類のカム溝に挿入した複数のフォロアーピン有しており前記第３筒が前記第２筒の回転によって回転させられたとき該カム溝に案内されて光軸方向へ移動させられる第４筒と、前記第３筒の内側に配置されていてレンズ群を保持していると共に外周部には前記第３筒の所定の種類のカム溝に挿入した複数のフォロアーピン有しており前記第３筒が回転させられたとき該カム溝に案内されて光軸方向へ移動させられ前記第１レンズ群を含むレンズ群同士の相対位置を変化させてズーミングを行う少なくとも一つの移動部材と、を備えていることを特徴とする沈胴式のカメラ用レンズ鏡胴。
【請求項２】
前記固定筒内において、前記本体部材には、焦点調節用の駆動手段と、焦点調節用レンズ群を保持していて該駆動手段によって光軸方向へ移動させられる焦点調節用レンズ枠と、が取り付けられており、また、該焦点調節用レンズ枠の被写体側に配置されている前記移動部材は、前記レンズ群を保持したレンズ保持部材を回転可能に取り付け且つシャッタ装置を取り付けており、該レンズ保持部材に保持されている前記レンズ群は、前記第３筒が前記第１筒に収容されたとき、該シャッタ装置の駆動手段によって撮影光路外へ退避させられ、該焦点調節用レンズ枠の径方向位置に配置されるようにしたことを特徴とする請求項１に記載の沈胴式のカメラ用レンズ鏡胴。
【請求項３】
前記第３筒の内側であって前記第４筒の外側には第５筒が配置されており、該第５筒は、外周部に前記第３筒の所定の種類のカム溝に挿入した複数のフォロアーピン有しており、前記第３筒が回転させられたとき、該カム溝に案内されて光軸方向へ移動させられ前記第４筒よりも小さいストロークで前記第３筒に出入りするようにしたことを特徴とする請求項１又は２に記載の沈胴式のカメラ用レンズ鏡胴。
【請求項４】
光軸と平行に直線状に形成された複数種類のキー溝を複数ずつ有していて前記第３筒の内側に配置されており前記第３筒の回転によって光軸方向へのみ前記第３筒と共に移動する第６筒を備えており、前記第４筒と前記第５筒と前記移動部材とは、該第５筒の内側に配置されていて、前記第３筒が回転したとき、前記第３筒に形成された各々の所定の種類のカム溝と該第６筒に形成された各々のキー溝の両方に案内され、光軸方向へのみ個々に移動されるようにしたことを特徴とする請求項１乃至３のいずれかに記載の沈胴式のカメラ用レンズ鏡胴。
【請求項５】
前記第４筒には、焦点調節用の駆動手段と、前記第１レンズ群を保持したレンズ枠に螺合していて該駆動手段によって回転させられるリードスクリューと、該リードスクリューが回転したとき該レンズ枠を光軸方向へ移動するように案内する複数の案内ピンと、を取り付けていて、該案内ピンの少なくとも一つには、前記移動部材側の先端に、該レンズ枠の抜け止め用のストッパ部材を取り付けていることを特徴とする請求項１に記載の沈胴式のカメラ用レンズ鏡胴。
【発明の詳細な説明】
【技術分野】
【０００１】
本発明は、ズームレンズを備えた沈胴式のカメラ用レンズ鏡胴に関する。
【背景技術】
【０００２】
第１のモータにより、第１レンズ群と第２レンズ群との相対的な間隔を変えてズーミングを行い、鏡胴内に臨ませて配置された第２のモータによって、第３レンズ群を保持しているレンズ枠を移動させて焦点調節を行うようにしたカメラ用レンズ鏡胴であって、カメラを使用しないときには、第１のモータによって、全てのレンズ群を固定筒内に収容して沈胴状態とするようにしたカメラ用レンズ鏡胴が、下記の特許文献１に記載されている。また、第１のモータにより、第１レンズ群と第２レンズ群との相対的な間隔を変えてズーミングを行い、第１レンズ群を取り付けた筒部材に取り付けられている第２のモータにより、第１レンズ群を保持しているレンズ枠を該筒部材に対して移動させ、焦点調節を行うようにしたカメラ用レンズ鏡胴であって、カメラを使用しないときには、第１のモータによって、全てのレンズ群を固定筒内に収容して沈胴状態とするようにしたカメラ用レンズ鏡胴が、下記の特許文献２に記載されている。
【０００３】
そして、特許文献１，２に記載されているカメラ用レンズ鏡胴は、いずれも、固定筒の内側に、回転筒のフォロアーピンを挿入させる同一形状の複数のカム溝を形成している。また、その固定筒の内側に配置された回転筒の内側には、各レンズ群の保持部材のフォロアーピンを挿入させる複数種類の形状のカム溝を複数ずつ形成しており、その回転筒は、第１のモータによって回転させられると、固定筒のカム溝に案内されて光軸方向へも移動させられ、各レンズ群の保持部材を、形状の異なる各種類のカム溝によって夫々光軸方向へ移動させ、全てのレンズ群の光軸方向の相対位置関係を変化させるようにしている。本発明は、このように、各レンズ群を、沈胴状態から繰り出すときや、沈胴状態へ繰り込むときや、ズーミングを行うときに、回転筒が、回転させられるだけではなく、固定筒のカム溝に案内されて光軸方向へも移動させられ、各レンズ群の保持部材を、形状の異なるカム溝によって夫々光軸方向へ相対的に移動させるようにした沈胴式のカメラ用レンズ鏡胴に関するものである。
【０００４】
【特許文献１】特開２００３−５７７０５号公報
【特許文献２】特開２００６−３０２９１号公報
【発明の開示】
【発明が解決しようとする課題】
【０００５】
特許文献１，２に記載されているカメラ用レンズ鏡胴の場合、固定筒や回転筒に形成されているカム溝は、内周面から外周面まで穿孔された、いわゆる貫通溝として形成されているのではなく、各々の筒部材の内周面側だけをえぐった、いわゆる有底溝として形成されている。ところが、最近では、それらの筒部材は、いずれも合成樹脂製になっている。そのため、それらのカム溝を有底溝として形成する場合には、フォロアーピンとの接触面を、光軸に対して９０度の面とすることが、成形加工上、極めて困難である。そこで、特許文献１，２にも図示されているように、通常は、フォロアーピンとの接触面を、光軸に対して６０度程度の傾斜面として形成するのが普通である。また、それによって、カム溝内に挿入されるフォロアーピンの先端も、略同じ角度のテーパー面となるように形成している。
【０００６】
ところで、落下等によってカメラに衝撃が加わったとき、レンズ群を保持している各部材に対し、光軸方向に大きな力の加わることがある。特に、レンズ群を繰り出した撮影待機状態のままでカメラを携帯しているときには、第１レンズ群を取り付けている筒部材の先端を、他の物体にぶつけてしまうことがあるが、そのような場合には、その筒部材に対して光軸方向に大きな力が加わることになる。そのため、そのようにして、レンズ群を保持している部材に対して光軸方向への大きな力が加わると、その部材が撓むと共に、フォロアーピンと回転筒のカム溝との接触部にカム作用が生じてしまい、フォロアーピンがカム溝から外れてしまうことがある。また、特許文献２に記載されているように、第１レンズ群を焦点調節時にも移動させるようにした構成の場合には、第１レンズ群を取り付けている筒部材内において、第１レンズ群を保持しているレンズ枠が鏡胴の奥の方向へ押されることによって、上記の案内ピンから外れてしまうことがある。
【０００７】
本発明は、このような問題点を解決するためになされたものであり、その目的とするところは、各々のレンズ群を保持している部材等に設けられたフォロアーピンを挿入させるための複数種類のカム溝を有していて、光軸上での回転と光軸方向への移動によってそれらの部材の相対位置を変えるようにした筒部材を備えている沈胴式のカメラ用レンズ鏡胴において、衝撃によって鏡胴に光軸方向の大きな力が加わっても、上記のフォロアーピンがカム溝から外れてしまわないように構成した沈胴式のカメラ用レンズ鏡胴を提供することである。
【課題を解決するための手段】
【０００８】
上記の目的を達成するために、本発明の沈胴式のカメラ用レンズ鏡胴は、同一形状のカム溝を複数有していて本体部材の被写体側に固定されている第１筒と、前記第１筒の内側に配置されていて駆動手段によって回転させられたとき前記第１筒のカム溝に案内されて光軸方向へも移動させられ前記第１筒に出入りする第２筒と、複数種類の形状のカム溝を複数ずつ有していて前記第２筒の内側に配置されており該複数種類のカム溝のうち少なくとも１種類のカム溝を貫通溝として形成している第３筒と、一番被写体側に配置された第１レンズ群を保持していると共に前記第３筒に貫通溝として形成されている所定の種類のカム溝に挿入した複数のフォロアーピン有しており前記第３筒が前記第２筒の回転によって回転させられたとき該カム溝に案内されて光軸方向へ移動させられる第４筒と、前記第３筒の内側に配置されていてレンズ群を保持していると共に外周部には前記第３筒の所定の種類のカム溝に挿入した複数のフォロアーピン有しており前記第３筒が回転させられたとき該カム溝に案内されて光軸方向へ移動させられ前記第１レンズ群を含むレンズ群同士の相対位置を変化させてズーミングを行う少なくとも一つの移動部材と、を備えているようにする。
【０００９】
また、上記の沈胴式のカメラ用レンズ鏡胴においては、前記固定筒内において、前記本体部材には、焦点調節用の駆動手段と、焦点調節用レンズ群を保持していて該駆動手段によって光軸方向へ移動させられる焦点調節用レンズ枠と、が取り付けられており、また、該焦点調節用レンズ枠の被写体側に配置されている前記移動部材は、前記レンズ群を保持したレンズ保持部材を回転可能に取り付け且つシャッタ装置を取り付けており、該レンズ保持部材に保持されている前記レンズ群は、前記第３筒が前記第１筒に収容されたとき、該シャッタ装置の駆動手段によって撮影光路外へ退避させられ、該焦点調節用レンズ枠の径方向位置に配置されるようにすると、沈胴時における光軸方向の収容スペースが有利になる。
【００１０】
また、前記第３筒の内側であって前記第４筒の外側には第５筒が配置されており、該第５筒は、外周部に前記第３筒の所定の種類のカム溝に挿入した複数のフォロアーピン有しており、前記第３筒が回転させられたとき、該カム溝に案内されて光軸方向へ移動させられ前記第４筒よりも小さいストロークで前記第３筒に出入りするようにすると、高倍率のズーム比を有する沈胴式のカメラ用レンズ鏡胴として極めて有利な構成となる。更に、光軸と平行に直線状に形成された複数種類のキー溝を複数ずつ有していて前記第３筒の内側に配置されており前記第３筒の回転によって光軸方向へのみ前記第３筒と共に移動する第６筒を備えており、前記第４筒と前記第５筒と前記移動部材とは、該第５筒の内側に配置されていて、前記第３筒が回転したとき、前記第３筒に形成された各々の所定の種類のカム溝と該第６筒に形成された各々のキー溝の両方に案内され、光軸方向へのみ個々に移動されるようにしてもよい。
【００１１】
また、上記の沈胴式のカメラ用レンズ鏡胴において、前記第４筒には、焦点調節用の駆動手段と、前記第１レンズ群を保持したレンズ枠に螺合していて該駆動手段によって回転させられるリードスクリューと、該リードスクリューが回転したとき該レンズ枠を光軸方向へ移動するように案内する複数の案内ピンと、を取り付けていて、該案内ピンの少なくとも一つには、前記移動部材側の先端に、該レンズ枠の抜け止め用のストッパ部材を取り付けているようにすると、該レンズ枠に対して、被写体側から力が加わったとしても、該案内ピンから外れてしまうようなことがない。
【発明の効果】
【００１２】
本発明は、モータ等の駆動手段によって回転させられたとき光軸方向へも移動させられて、複数種類のカム溝によって、各々のレンズ群を保持している部材等を光軸上で移動させ、それらのレンズ群の相互の間隔を変えるようにした筒部材を備えている沈胴式のレンズ鏡胴において、その筒部材に設けられている少なくとも１種類のカム溝を貫通溝としたので、そこに挿入されるフォロアーピンとの接触面を光軸に対して９０度の面とすることが可能になり、衝撃等によってそのフォロアーピンを設けている部材に光軸方向の強い力が作用しても、フォロアーピンがカム溝から離脱してしまうようなことがなくなる。
【発明を実施するための最良の形態】
【００１３】
本発明の実施の形態を、図示した二つの実施例によって説明する。尚、本発明における沈胴式のカメラ用レンズ鏡胴は、銀塩フィルムを使用するカメラにもデジタルカメラにも採用することが可能であるが、実施例は、いずれも、デジタルカメラに採用されるものとして構成されたものである。
【実施例１】
【００１４】
図１〜図８を用いて本実施例を説明するが、図１は、沈胴状態（カメラの不使用状態）を示した断面図であり、図２は、図２（ａ）が図１に示されているカム筒を展開して内側から見た図であり、図２（ｂ）が図１に示されているキー筒を展開して内側から見た図である。また、図３は、図１の沈胴状態において、第２移動部材に取り付けられている部材を撮像装置側から見て示した平面図であり、図４は、図３の状態における絞り機構と、第３レンズ群の保持部材とを分かり易く示した平面図である。また、図５は、第１〜第３レンズ群が、図１の位置から広角端撮影位置に繰り出された状態を示した断面図であり、図６は、図５の状態を、図３と同じようにして示した平面図である。更に、図７は、第１〜第３レンズ群の望遠端撮影位置を示した断面図であり、図８は、絞り羽根が、図４，図６に示された最大絞り開口制御位置から所定の絞り開口制御位置へ作動させられた状態を示した平面図である。
【００１５】
尚、図１，図５，図７の断面図は、全く同じ箇所を切断して示したものではなく、少ない図面で全体の構成を理解し易くするために、便宜的に、異なる箇所で切断したり、構成の一部だけを、異なる箇所の断面で示したりしたものである。また、図３，図６，図８は、羽根室内の構成を分かり易くするために、後述するカバー板２７を取り外して示したものである。
【００１６】
そこで先ず、本実施例の構成を説明する。図１，図５，図７に示されている本体部材１は、カメラボディーに直接取り付けられる部材であって、その略中央部には撮像装置２を取り付けている。周知のように、この撮像装置２は、ＣＣＤなどの固体撮像素子を備えていて、通常は、その被写体側に、ローパスフィルタなどのフィルタ板や、透明なカバー板などを配置している。また、図５に示されているように、モータ取付板３は、往復回転可能なモータ４を取り付けており、ビス５によって本体部材１の被写体側の面に取り付けられている。そして、モータ４の出力軸４ａには、リードスクリュー６が取り付けられている。また、焦点調節用の第４レンズ群７を保持しているレンズ枠８は、そこに取り付けられているナット部材９の雌ねじを、リードスクリュー６の雄ねじに螺合させており、モータ４を回転させると、本体部材１の被写体側に立設された案内ピン１ａに案内され、第４レンズ群７を光軸方向に移動させるようになっている。尚、モータ４は、本実施例のように完全に鏡胴内に収容しなくてもよく、例えば特許文献１に記載されているように、その一部だけを収容するようにしてもよいし、鏡胴外に設置するようにしても構わない。
【００１７】
本体部材１の被写体側の面には、図示していない手段によって合成樹脂製である固定筒１０が一体的に取り付けられている。また、図５に示されているように、その固定筒１０の外側には、本体部材１と固定筒１０の間に軸１１が取り付けられており、そこに、図示していないカメラ本体側のモータによって往復回転させられる歯車１２が取り付けられている。そして、歯車１２は、その外周に形成された歯の一部を、光軸と平行に形成されている固定筒１０の長孔から内部に挿入している。また、その全体形状が明示されていないが、固定筒１０の内周面には、周知のように、等間隔の角度位置に、後述の回転筒１３が回転しながら光軸方向へも移動することを可能にするために、同一形状をした三つのカム溝１０ａが、有底溝として形成されている。そして、図１に示されたカム溝１０ａの断面形状からも分かるように、後述の回転筒１３のフォロアーピン１３ｂと接触する面は、成形加工上の理由から、光軸に対して９０度の面に形成することができず、約６０度の傾斜面として形成されている。また、固定筒１０の内周面には、後述の回転筒１３とカム筒１４との一体的な移動に伴って後述のキー筒１５が光軸方向へ直線的に移動することを可能にするために、光軸と平行な三つのキー溝１０ｂが、カム溝１０ａとは干渉しない角度位置に形成されているが、それらのうちの一つが図１に示されている。
【００１８】
固定筒１０の内側には、合成樹脂製の回転筒１３が配置され、その内側には合成樹脂製のカム筒１４が配置されている。この回転筒１３とカム筒１４とは、別部材として製作されているが、組立後は一体的に作動するようになっている。そこで先ず、本実施例の回転筒１３は、図５に示されているように、撮像装置２側の端部に、所定の角度範囲にわたって、平歯の部分歯車１３ａを有していて、上記の歯車１２に噛合している。また、回転筒１３の外周面には、等間隔の角度位置に三つのフォロアーピン１３ｂが設けられていて、それらは固定筒１０に設けられた上記のカム溝１０ａに夫々嵌合している。そのため、回転筒１３は、図示していないモータが往復回転すると、それに伴って往復回転させられ、固定筒１０のカム溝１０ａに案内されて、光軸方向へも往復作動するようになっている。
【００１９】
次に、上記の回転筒１３と一体化されているカム筒１４について説明する。図２（ａ）は、カム筒１４を展開して内側から見た図であり、左側が被写体側であり、右側が撮像装置２側である。この図２（ａ）には、回転筒１３に接する面の形状が詳しく示されていないが、回転筒１３の内側に形成された図示していない孔に連結させるための、斜面付きの三つの突起１４ａが示されている。そして、このカム筒１４には、撮像装置２側に、可撓性を有する三つのフック部１４ｂが、等間隔の角度位置に形成されているが、それらのうちの一つが図９において断面で示されている。また、カム筒１４には、カム形状の異なる４種類のカム溝１４ｃ，１４ｄ，１４ｅ，１４ｆが、等間隔の角度位置に三つずつ形成されている。それらのうち、カム溝１４ｄは内周面から外周面にわたって穿孔された貫通溝であるが、残りの３種類のカム溝１４ｃ，１４ｅ，１４ｆは、上記の固定筒１０のカム溝１０ａと同様に、貫通をしていない有底溝である。
【００２０】
このような、回転筒１３とカム筒１４とは、従来、一つの回転筒として構成されていた。しかしながら、そのように一つの回転筒として構成した場合には、カム溝１４ｃ，１４ｄ，１４ｅ，１４ｆの形状を、上記の固定筒１０のカム溝１０ａと同様に、それらに挿入されるフォロアーピンとの接触面が光軸に対して約６０度の傾斜面となるように形成せざるを得なくなる。ところが、本実施例においては、後述する理由によって、少なくともカム溝１４ｄの形状を、そこに挿入されるフォロアーピンとの接触面が光軸に対して９０度となるように形成したい。そのため、部品加工の段階では、回転筒１３とカム筒１４の２部品として製作して、そのような要求に応えられるようにしておき、組立段階で両者を一体化させるようにしている。
【００２１】
尚、本来であれば、カム溝１４ｃ，１４ｅ，１４ｆも、カム溝１４ｄと同様に、貫通溝として形成するのが好ましい。しかしながら、本実施例の場合には、図２（ａ）からも分かるように、四つのカム溝１４ｃ，１４ｄ，１４ｅ，１４ｆ同士が部分的に接近して形成されているので、全てを貫通溝にすると、カム溝同士の境界部位に所定の強度が得られなくなってしまう。そのため、本実施例の場合には、カム溝１４ｄだけを貫通溝にしているが、カム筒１４が金属製の場合には、全てのカム溝を貫通溝にすることが可能であるし、合成樹脂の場合であっても、カム溝同士の形成態様によっては、二つ以上のカム溝を貫通溝としても差し支えない。
【００２２】
カム筒１４の内側には、キー筒１５が配置されていて、カム筒１４が回転筒１３と共に回転すると、光軸方向に直線的に移動するように構成されている。図２（ｂ）は、そのキー筒１５を展開して内側から見た図であるが、左側が被写体側であり、右側が撮像装置２側である。このキー筒１５のカム筒１４側の面には、環状に溝１５ａが形成されていて、図７に示されているように、そこに、カム筒１４に形成されているフック部１４ｂの先端が入っている。また、このキー筒１５には、等間隔の角度位置に三つのキー１５ｂが形成されていて、図１に示すように、それらを固定筒１０のキー溝１０ｂに嵌合させている。そのため、このキー筒１５は、回転筒１３とカム筒１４とが回転しながら固定筒１０のカム溝１０ａによって光軸方向へ移動するとき、固定筒１０のキー溝１０ｂに案内されて、光軸方向へだけ直線的に移動させられることになる。そして、このキー筒１５には、光軸と平行に形成された４種類のキー溝１５ｃ，１５ｄ，１５ｅ，１５ｆが、等間隔の角度位置に三つずつ貫通して形成されている。
【００２３】
キー筒１５の内側には補助筒１６が配置され、その内側には直進筒１７が配置されている。そこで先ず、補助筒１６について説明する。この補助筒１６は、図１から分かるように、キー筒１５と直進筒１７の間において、キー筒１５の内側に形成された肉薄部に入り込んで、格納されるように構成されている。また、この補助筒１６の外周面には、等間隔の角度位置に三つのフォロアーピン１６ａが設けられていて、それらは、キー筒１５のキー溝１５ｃを貫通し、それらの先端を、カム筒１４の有底のカム溝１４ｃに嵌合させている。そのため、この補助筒１６は、回転筒１３とカム筒１４とが回転しながら固定筒１０のカム溝１０ａによって光軸方向へ移動するとき、フォロアーピン１６ａがカム筒１４のカム溝１４ｃに案内されて移動するが、キー筒１５のキー溝１５ｃにも案内されることになるため、光軸方向へだけ直線的に移動させられることになる。そして、その移動量は、カム溝１４ｃの形状によって、回転筒１３とカム筒１４の光軸方向の移動量とは異なる。
【００２４】
次に、直進筒１７について説明する。直進筒１７の外周には、等間隔の角度位置に三つのフォロアーピン１７ａが設けられており、それらは、キー筒１５のキー溝１５ｄを貫通し、先端をカム筒１４の貫通したカム溝１４ｄに嵌合させている。そのため、この直進筒１７は、回転筒１３とカム筒１４とが回転すると、フォロアーピン１７ａがカム溝１４ｄに案内されて移動するが、キー筒１５のキー溝１５ｄにも案内されることになるため、光軸方向へだけ直線的に移動させられることになる。そして、その移動量は、カム溝１４ｄの形状によって、回転筒１３とカム筒１４の光軸方向の移動量とは異なる。また、この直進筒１７の被写体側には、略中央部に撮影光路用の開口部１８ａを形成した前板１８が取り付けられており、カバー板１９との間に、２枚構成のバリア羽根２０，２１を配置しているが、バリア機構は、本発明とは直接関係がないので、具体的な構成を図示しておらず、説明も省略する。そして、この直進筒１７には、第１レンズ群２２を保持しているレンズ枠２３が、光軸方向へ移動可能に取り付けられている。
【００２５】
キー筒１５の内側には、被写体側から順に、第１移動部材２４と第２移動部材２５が配置されている。そこで先ず、第１移動部材２４を説明する。この第１移動部材２４の外周部には、等間隔の角度位置に三つのフォロアーピン２４ａ（図１参照）が設けられており、それらは、キー筒１５のキー溝１５ｅを貫通し、先端をカム筒１４の有底のカム溝１４ｅに嵌合させている。そのため、この第１移動部材２４は、回転筒１３とカム筒１４とが回転すると、フォロアーピン２４ａがカム溝１４ｅに案内されて移動するが、キー筒１５のキー溝１５ｅにも案内されるため、光軸方向へだけ直線的に移動させられることになる。そして、その移動量は、カム溝１４ｅの形状によって、回転筒１３とカム筒１４の光軸方向の移動量とは異なる。そして、この第１移動部材２４は、そのレンズ保持部２４ｂに、第２レンズ群２６を取り付けている。尚、図１において一つしか示されていないが、上記の直進筒１７には、第１移動部材２４の三つのフォロアーピン２４ａの立設部が衝突しないようにするために、光軸と平行に形成されたスロット状の三つの逃げ部１７ｂが形成されている。
【００２６】
次に、第２移動部材２５について説明する。第２移動部材２５の外周部には、等間隔の角度位置に三つのフォロアーピン２５ａ（図５，図７参照）が設けられており、それらは、キー筒１５のキー溝１５ｆを貫通し、先端をカム筒１４の有底のカム溝１４ｆに嵌合させている。そのため、この第２移動部材２５は、回転筒１３とカム筒１４とが回転すると、フォロアーピン２５ａがカム溝１４ｆに案内されて移動するが、キー筒１５のキー溝１５ｆにも案内されるため、光軸方向へだけ直線的に移動させられることになる。そして、その移動量は、カム溝１４ｆの形状によって、回転筒１３とカム筒１４の光軸方向の移動量とは異なるようになっている。そして、この第２移動部材２５には、多くの部材が取り付けられているが、それらの取付構成は、主に、図３，図４を用いて、以下に説明する。尚、図５，図７においては一つしか示されていないが、上記の直進筒１７には、上記の第１移動部材２４のフォロアーピン２４ａの立設部に対する逃げ部と同様に、第２移動部材２５の三つのフォロアーピン２５ａの立設部との衝突を避けるため、光軸に対して平行なスロット状の三つの逃げ部１７ｃが形成されている。
【００２７】
図１に示されているように、第２移動部材２５には、カバー板２７が取り付けられていて、両者の間に羽根室を構成している。そして、その羽根室には、後述する駆動リング２８と、３枚の絞り羽根２９と、２枚のシャッタ羽根３０，３１が配置されているが、図１，図５，図７においては、駆動リング２８のみを示し、３枚の絞り羽根２９と２枚のシャッタ羽根３０，３１の図示を省略してある。そして、図３は、第２移動部材２５と、そこに取り付けられている部材とを、図１の撮像装置２側から見て、カバー板２７を取り除いて示した平面図であり、図４は、図３の状態における絞り機構と、第３レンズ群の保持部材とだけを示した平面図である。
【００２８】
図３に示されているように、第２移動部材２５は、その外周部に、上記した三つのフォロアーピン２５ａを設けていて、その中央部には、円形をした撮影光路用の開口部２５ｂを有している。しかしながら、図示を省略したカバー板２７にも、二点鎖線で示したように、開口部２５ｂより直径の小さな撮影光路用の開口部２７ａが形成されているため、実際の露光開口は、カバー板２７の開口部２７ａによって規制されるようになっている。また、図５，図７に示されているように、カバー板２７には、撮像装置２側にストッパーピン２７ｂが立設されているが、図３においては、そのストッパーピン２７ｂの位置を二点鎖線で示してある。
【００２９】
第２移動部材２５とカバー板２７との間に構成された羽根室には、第２移動部材２５側から順に、駆動リング２８と、３枚の絞り羽根２９と、２枚のシャッタ羽根３０，３１が配置されている。先ず、光軸を中心にして回転可能に配置されている駆動リング２８は、等間隔の角度位置に三つの貫通したカム溝２８ａを有しており、外周部には押動部２８ｂと、所定の角度範囲にわたって形成された歯部２８ｃとを有している。また、３枚の絞り羽根２９は、各々、第２移動部材２５側に、羽根軸２９ａと係合ピン２９ｂとを有していて、羽根軸２９ａを、第２移動部材２５に形成された孔に回転可能に嵌合させ、係合ピン２９ｂを、駆動リング２８のカム溝２８ａに挿入させているが、図３，図６，図８においては、１枚の絞り羽根にだけ符号を付けてある。更に、２枚のシャッタ羽根３０，３１は、第２移動部材２５に立設された二つの軸２５ｃ，２５ｄに回転可能に取り付けられている。
【００３０】
第２移動部材２５には、例えば、特開２００５−２８４１０２号公報に記載されているような周知のステップモータ３２と、特開２００５−２８７１５９号公報に記載されているような周知の電流制御式のモータ３３が取り付けられている。それらのうち、ステップモータ３２は、駆動リング２８を往復回転させるためのものであり、コイル３２ａ，３２ｂを巻回した二つのヨーク３２ｃ，３２ｄは、第２移動部材２５の被写体側の面に取り付けられ、出力歯車３２ｅを一体化した回転子３２ｆは、羽根室側に配置されている。そして、その出力歯車３２ｆは、駆動リング２８の歯部２８ｃに噛合している減速用の２段歯車３４に噛合している。また、電流制御式のモータ３３は、コイル３３ａを巻回したヨーク３３ｂと、回転子３３ｃとからなっていて、第２移動部材２５の被写体側の面に取り付けられており、回転子３３ｃと一体の出力ピン３３ｄを羽根室内に挿入し、周知のようにして、シャッタ羽根３０，３１に形成された長孔の両方に嵌合させている。
【００３１】
第２移動部材２５の撮像装置２側の面であって羽根室外の面には、軸２５ｅが立設されている。レンズ保持部材３５は、その軸２５ｅに、ビス３６によって抜け止めされ、カバー板２７よりも撮像装置２側の面で回転できるようにして取り付けられている。また、このレンズ保持部材３５は、レンズ保持部３５ａと、そのレンズ保持部３５ａよりも根元側の被写体側の面に設けた被押動ピン３５ｂと、先端に設けた当接部３５ｃとを有していて、レンズ保持部３５ａには第３レンズ群３７が取り付けられている。そして、このレンズ保持部材３５は、第２移動部材２５との間に掛けられたばね３８によって、図３において反時計方向へ回転するように付勢されている。尚、図５，図７においては、ばね３８の図示を省略してある。
【００３２】
次に、本実施例の作動を説明する。図１及び図３は、カメラの不使用状態を示したものであって、第１〜第４レンズ群２２，２６，３７，７は、図１に示されているように、全て固定筒１０内に収容され、いわゆる沈胴状態となっている。そして、このとき、図３に示されているように、２枚のシャッタ羽根３０，３１は、モータ３３によって相反する方向へ回転させられ、露光開口を規制しているカバー板２７の開口部２７ａを全開にしている。また、駆動リング２８は、ステップモータ３２によって反時計方向への極限位置に回転させられている。そのため、３枚の絞り羽根２９は、羽根軸２９ａを中心にして反時計方向へ回転させられ、開口部２７ａを全開にしており、また、レンズ保持部材３５は、その被押動ピン３５ｂが駆動リング２８の押動部２８ｂに押され、ばね３８の付勢力に抗して時計方向へ回転させられており、第３レンズ群３７を、光軸を横切る方向へ退避させていると同時に、図１から分かるように、第３レンズ群７の径方向位置に置いている。そのため、本実施例は、沈胴状態における光軸方向の収容寸法が極めて小さくなっている。
【００３３】
このような沈胴状態から撮影可能状態とするためには、カメラの電源スイッチをオンにする。それによって、図示していないモータが回転させられるので、図５に示されている歯車１２を介して、回転筒１３とカム筒１４が回転させられる。このとき、回転筒１３とカム筒１４は、回転だけではなく被写体側にも移動させられるが、キー筒１５，補助筒１６，直進筒１７，第１移動部材２４，第２移動部材２５は、キー筒１５のキー１５ｂが、固定筒１０のキー溝１０ｂに案内されるため、回転することなく、被写体側に直進させられていく。また、このとき、回転筒１３，カム筒１４，キー筒１５は、同じ速度で被写体側へ移動するが、補助筒１６，直進筒１７，第１移動部材２４，第２移動部材２５は、各々、カム筒１４のカム溝１４ｃ〜１４ｆの形状によって、回転筒１３，カム筒１４，キー筒１５よりも、全体としては速く移動させられていく。
【００３４】
また、第２移動部材２５が被写体側へ移動させられてゆき、第３レンズ群３７が第４レンズ群７よりも被写体側に移動すると、ステップモータ３２にパルスが供給され、図３において、回転子３２ｆが時計方向へ回転させられるため、駆動リング２８は、２段歯車３４を介して時計方向へ回転させられる。このようにして、駆動リング２８が時計方向へ回転すると、その押動部２８ｂがレンズ保持部材３５の被押動ピン３５ｂから離れていこうとするので、レンズ保持部材３５は、それに追従して、ばね３８の付勢力によって反時計方向へ回転していく。そして、このようなレンズ保持部材３５の回転は、先端の当接部３５ｃがカバー板２７のストッパーピン２７ｂに当接することによって停止され、第３レンズ群３７が、光軸上に配置されたことになる。
【００３５】
他方、駆動部材２８の三つのカム溝２８ａには、３枚の絞り羽根２９の係合ピン２９ｂが挿入されているが、それらのカム溝２８ａの形状は、第３レンズ群３７が撮影光路内への移動を完了するまで、又は撮影光路から退避し終わるまでは、光軸を中心にした円弧状に形成されているため、３枚の絞り羽根２９は全く回転させられない。そして、駆動リング２８は、レンズ保持部材３５が停止した後、僅かに回転した位置で停止させられる。図６は、そのときの状態を示したものであって、この状態での位置が駆動リング２８にとっての初期位置である。
【００３６】
また、このようにして、第１〜第３レンズ群２２，２６，３７が被写体側に移動させられていく段階で、モータ４も回転させられ、リードスクリュー６を介して、第４レンズ群７のレンズ枠８も被写体側へ移動させられる。そして、図１に示した沈胴状態から、全てのレンズ群を繰り出して停止した状態が、図５に示された状態であり、本実施例の場合には、この状態が広角端での撮影待機状態である。また、図１に示された状態から図５に示された状態になる過程で、バリア板２０，２１は、図示していない機構を介して作動させられ、開口部１８ａを開放している。
【００３７】
このようにして、全てのレンズ群が沈胴状態から繰り出された状態においては、回転筒１３の外周面は、その殆どが露出されている。もしも、従来のように、本実施例の回転筒１３とカム筒１４を一つの部材として構成しておき、その部材に、本実施例のカム溝１４ｄに相当するカム溝を貫通溝として形成した場合には、この図５の状態においては、そのカム溝が露出してしまうことになる。そこで、本実施例の場合には、カム溝１４ｄのような貫通溝を形成したいために、そのような従来の一つの部材を、回転筒１３とカム筒１４の二つの部材で構成するようにしている。
【００３８】
撮影を行うに際してズーミングを行う場合には、撮影レンズと連動しているズームファインダを覗きながら、図示していないモータによって回転筒１３を正・逆転させ、カム筒１４に形成されているカム溝１４ｄ，１４ｅ，１４ｆの形状によって、第１〜第３レンズ群２２，２６，３７の相対位置関係を変化させる。また、焦点調節は、モータ４を正・逆転させ、リードスクリュー６を介して、レンズ枠８を所定の位置まで移動させるようにする。図７は、そのようにして制御された各レンズ群の望遠端での撮影位置を示したものである。
【００３９】
ところで、本実施例においては、焦点調節用の第４レンズ群のほかに、ズーム比を大きくするためにズーム用のレンズは３群からなっていて、望遠端での撮影時においては、２群の場合に比較して、第１レンズ群２２を大きく被写体側へ繰り出すようにしているため、直進筒１７の光軸方向の長さが全体として長くなっている。ところが、そのようにすると、ズーミングを行うときや、沈胴状態にするときに、直進筒１７の撮像装置２側の端部が、第１移動部材２４のフォロアーピン２４ａの立設部や第２移動部材２５のフォロアーピン２５ａの立設部に干渉してしまうことになる。そのため、上記したように、直進筒１７には、それらの立設部と干渉せず、それらの立設部が撮像装置２側から入り込めるようにするために、各々三つずつのスロット状の逃げ部１７ｂ，１７ｃが形成されている。しかしながら、そのようすると、図７に示す状態にしたとき、それらのスロット状の逃げ部の一部（図７における直進筒１７の上方右端部の逃げ部１７ｃを参照）が、回転筒１３の被写体側の端部よりも被写体側に露出してしまうことになる。そこで、本実施例の場合には、補助筒１６を設け、その露出してしまうスロット状の逃げ部１７ｂ，１７ｃを覆い隠すようにすると共に、それによって内部への漏光を防止できるようにしている。
【００４０】
このようにして、ズーミングが行われた後、カメラのレリーズボタンが押されると、測光回路によって、先ず、絞り開口の大きさが決定される。そして、最大絞り開口の場合には、直ちに撮影に入るが、開口部２７ａよりも小さい絞り開口で撮影する場合には、ステップモータ３２に所定のパルス信号が与えられるので、回転子３２ｆが、図６において時計方向へ回転させられ、２段歯車３４を介して、駆動リング２８を初期位置から時計方向へ回転させる。そのため、３枚の絞り羽根２９は、それらの係合ピン２９ｂを駆動リング２８のカム溝２８ａに押されることによって同時に時計方向へ回転させられ、所定の絞り開口形成位置で停止する。図８は、そのようにして所定の絞り開口に設定された状態を示したものである。
【００４１】
上記のようにして、所定の絞り開口が設定されると、それまでに撮像装置２の固体撮像素子に蓄積されていた電荷を放出することによって撮影が開始されるが、所定の露光時間が経過すると、モータ３３のコイル３３ａに正方向の電流が供給され、回転子３３ｃが、図８において反時計方向へ回転させられる。そのため、シャッタ羽根３０，３１は、出力ピン３３ｄによって相反する方向へ回転させられ、絞り開口を閉鎖する。そして、その閉鎖状態において、撮像情報が画像記憶装置に転送されると、今度は、コイル３３ａに対して先ほどとは逆方向に電流が供給される。そのため、回転子３３ｃは時計方向へ回転し、出力ピン３３ｄによってシャッタ羽根３０，３１に開き作動を行わせ、図８の状態に復帰させる。他方、ステップモータ３２のコイル３２ａ，３２ｂにも、回転子３２ｆを先ほどとは逆方向へ回転させるパルス信号が与えられる。そのため、回転子３２ｆは、２段歯車３４を介して駆動リング２８を反時計方向へ回転させ、図６に示した初期位置へ復帰させて、次の撮影に備えることになる。
【００４２】
ところで、このようなレンズ鏡胴を備えたカメラを、携帯中に落としてしまったり、卓上などから落としてしまったりすると、レンズ鏡胴の構成部材に対して光軸方向に大きな衝撃が加わることがある。特に、図５や図７の状態にしたままで携帯しているときには、直進筒１７や前板１８を、他の物体にぶつけてしまうことがある。そして、そのような場合には、直進筒１７に対して、撮像装置２側へ強烈な力が加わることがある。ところが、本実施例の場合には、カム溝１４ｄが貫通溝として形成されていて、光軸に対して９０度の面でフォロアーピン１７ａと線接触するように構成されているため、カム溝１４ｄの接触面とフォロアーピン１７ａとの間にカム作用が生じず、フォロアーピン１７ａがカム溝１４ｄから外れてしまうようなことがない。尚、本実施例の場合には、フォロアーピンの最も外れ易いカム溝１４ｄだけを貫通溝にしているが、他のカム溝１４ｃ，１４ｅ，１４ｆを貫通溝にして、フォロアーピン１６ａ，２４ａ，２５ａが外れないようにしてもよいことは、前記したとおりである。
【００４３】
このようにして、撮影が行われた後、もはや撮影を続けないことにした場合は、カメラの電源スイッチをオフにするが、その場合でも遅延回路が働いていて、所定の時間だけはオン状態が継続するようになっており、各モータは回転し得るようになっている。そこで先ず、モータ４が回転すると、レンズ枠８は、リードスクリュー６を介して、撮像装置２側へ直進させられ、第４レンズ群７を撮像装置２の前面に接近させた状態で停止させられる。他方、駆動リング２８を回転させるステップモータ３２と、回転筒１３を回転させる図示していないモータも回転させられる。このとき、ステップモータ３２の回転子３２ｆは、図６において反時計方向へ回転させられるので、駆動リング２８も２段歯車３４を介して初期位置から反時計方向へ回転させられるが、３枚の絞り羽根２９は上記した理由によって回転させられることはない。ところが、この回転によって、押動部２８ｂが被押動ピン３５ｂを押すことになるので、レンズ保持部材３５は、ばね３８の付勢力に抗して時計方向へ回転させられ、第３レンズ群３７を、光軸を横切る方向へ移動させ、図３に示された状態に退避させる。
【００４４】
また、鏡胴外に配置されている図示していないモータが歯車１２を回転させると、一体化されている回転筒１３とカム筒１４とが、固定筒１０のカム溝１０ａに案内されて、回転しながら撮像装置２側へも移動させられるが、キー筒１５は回転せず、固定筒１０のキー溝１０ｂに案内されて撮像装置２側へ直進させられる。また、補助筒１６，直進筒１７，第１移動部材２４，第２移動部材２５は、カム筒１４のカム溝１４ｃ，１４ｄ，１４ｅ，１４ｆとキー筒１５のキー溝１５ｃ，１５ｄ，１５ｅ，１５ｆとに案内されて撮像装置２側へ直進させられる。このようにして、第１〜第３レンズ群２２，２６，３７は固定筒１０内に沈胴していくが、それと並行して、図示していないバリア装置も作動させられ、バリア板２０，２１が第１レンズ群２２の前面にある開口部１８ａを覆っていく。そして、図１に示された沈胴状態になったことを、図示していないセンサーが検出すると、上記の図示していない鏡胴外のモータの回転が停止させられる。
【００４５】
尚、本実施例は、デジタルカメラ用のレンズ鏡胴であるが、銀塩フィルムを使用するカメラに採用する場合には、周知のように、撮像装置２の位置には開口部が設けられているだけにし、その開口部をフィルムの前面に配置するようにしてカメラ本体に取り付けることになる。そして、その場合には、本実施例の場合と異なり、撮影前においては、シャッタ羽根３０，３１は、開口部２７ａを閉鎖しており、撮影に際して開き作動と閉じ作動とを連続的に行わされることになる。また、本実施例の場合には、２枚のシャッタ羽根３０，３１を備えているが、羽根の大きさを若干大きくして、いずれか一方だけにしても構わない。そして、このことは、具体的なシャッタ構成が示されていないとはいえ、下記の実施例２の場合も実質的に同じである。
【００４６】
更に、本実施例の場合には、キー筒１５を設けているが、それは、一体化されている回転筒１３とカム筒１４が回転させられるとき、補助筒１６，直進筒１７，第１移動部材２４，第２移動部材２５が回転しないようにするためである。特に、第２移動部材には、二つのモータ３２，３３が取り付けられているため、電源の接続上、回転してしまうのは決して好ましいとはいえない。しかしながら、第２移動部材が回転しても、その回転角度が小さい場合や、好適な電源との接続方法が講じられる場合には、必ずしもキー筒１５を必要としない。また、上記したように、本実施例は、三つのレンズ群によってズーミングを行うようにしているが、本発明は、特許文献１に記載されているような二つのレンズ群によってズーミングを行うものにも適用される。
【実施例２】
【００４７】
本実施例は、特許文献２に記載されているような、第１レンズ群が焦点調節用のレンズを兼ねるタイプの沈胴式のレンズ鏡胴であって、デジタルカメラに採用されるものとして構成したものである。そして、本実施例の説明に用いる図面は、主に、その焦点調節を行うためのリードスクリュー機構を理解し易く示したものであって、図９は、焦点調節時に移動される第１レンズ群がリードスクリューの一端方向へ暴走した状態を示した断面図である。また、図１０は、図９の一部を拡大して示した断面図であり、図１１は、図９に示されている直進筒内を撮像装置側から見た平面図であり、図１２は、図１１の一部を拡大して示した平面図である。更に、図１３は、図１２と同じようにして見て正常状態を示した平面図であり、図１４は、第１レンズ群がリードスクリューの他端方向へ暴走した状態を示した断面図である。
【００４８】
先ず、本実施例の構成を説明するが、実施例１の場合と実質的に同じ構成については、簡単に説明することにする。本体部材４１は、適宜な手段によって撮像装置４２を取り付けている。また、この本体部材４１には、レンズバリア装置の操作部が設けられているほか、鏡胴内に配置されている後述のステップモータ，シャッタ装置,センサ等に接続されるフレキシブルプリント配線板を挿通させるためのスリットが形成されているが、それらの図示は省略されている。
【００４９】
本体部材４１の被写体側の面には、固定筒４３が一体的に取り付けられている。この固定筒４３の内周面には、等間隔の角度位置に、回転筒４４が回転しながら光軸方向へも移動し得るようにするために、三つのカム溝４３ａが有底溝として形成されているが、図９及び図１４においては、それらのうちの一つの断面形状だけが分かるように示されている。また、固定筒４３の内周面には、回転筒４４の移動に伴って第１キー筒４５が光軸方向へ直線的に移動できるようにするために、光軸と平行な二つのキー溝４３ｂが、カム溝４３ａとは干渉しないようにして形成されているが、図９及び図１４においては、それらのうちの一つだけが示されている。更に、固定筒４３には、径方向へ張り出した二つの張出部４３ｃ，４３ｄが形成されており、それらに設けられた孔には、本体部材４１に立設された軸４１ａが挿入されている。そして、その軸４１ａには歯車４６が回転可能に取り付けられ、その一部を固定筒４３の内部に臨ませている。そして、この歯車４６は、カメラ本体側に取り付けられている図示していないステップモータによって、減速歯車を介して回転させられるようになっている。
【００５０】
固定筒４３の内側に配置されている上記の回転筒４４は、本体部材４１側の端部に、所定の角度範囲で形成された部分歯車４４ａを有していて、それを上記の歯車４６に噛合させている。また、この回転筒４４の外周面には、等間隔の角度位置に三つのフォロアーピン４４ｂが設けられていて、それらを固定筒４３に設けられた上記のカム溝４３ａに嵌合させているが、図９及び図１４においては、それらのうちの一つのフォロアーピン４４ｂだけを示している。従って、この回転筒４４は、図示していないステップモータにより、歯車４６を介して回転させられると、カム溝４３ａに案内されて光軸方向へも移動されるようになっている。そして、さらに、この回転筒４４の内周面には、等間隔の角度位置に三つのキー溝４４ｃが形成されているが、図９及び図１４においては、それらのうちの一つだけを示してある。
【００５１】
回転筒４４の内側に配置されている上記の第１キー筒４５は、回転筒４４が回転すると、光軸方向に直線的に移動するように構成されている。即ち、この第１キー筒４５の被写体側の端部には、所定の角度位置に可撓性を有する複数のフック部４５ａが形成されており、それらを、回転筒４４の内周に形成された環状の溝に嵌合させている。また、この第１キー筒４５には、撮像装置４２側に二つのキー４５ｂが形成されていて、それらを上記の固定筒４３の二つのキー溝４３ｂに嵌合させているが、図９及び図１４においては、その一つだけを示してある。この構成によって、第１キー筒４５は、回転筒４４が歯車４６によって回転されながらカム溝４３ａによって光軸方向へ移動するとき、固定筒４３のキー溝４３ｂに案内されて、光軸方向へだけ直線的に移動させられることになる。更に、この第１キー筒４５には、等間隔の角度位置に三つのカム溝４５ｃが貫通溝として形成され、内周面には二つのキー溝４５ｄが形成されているが、図９及び図１４においては、各々、それらのうちの一つだけを示してある。
【００５２】
第１キー筒４５の内側には、第２キー筒４７が配置されており、その内側には所定の間隔を空けて、第３キー筒４８が配置されているが、これらの二つのキー筒４７，４８は、組立時に、図示していない手段によって一体化されている。そして、第２キー筒４７には、等間隔の角度位置に三つのカム溝４７ａが貫通溝として形成され、内周面には二つのキー溝４７ｂが形成されているが、図９及び図１４においては、各々、それらのうちの一つだけを示してある。また、第３キー筒４８には、二つのキー４８ａと、貫通した三つのキー溝４８ｂと、複数のフック部４８ｃとが形成されているが、図９及び図１４においては、キー４８ａとキー溝４８ｂは一つずつ、フック部４８ｃは二つを示してある。そして、それらのうち、キー４８ａは、第１キー筒４５のキー溝４５ｄに嵌合している。そのため、第２キー筒４７と第３キー筒４８とは、第１キー筒４５に対して、光軸方向へ移動できるようになっている。
【００５３】
第２キー筒４７と第３キー筒４８との間には、カム筒４９と直進筒５０とが配置されている。そのうち、第３キー筒４８側に配置されているカム筒４９の外周面には、等間隔の角度位置に三つのフォロアーピン４９ａが設けられているが、図９及び図１４には、そのうちの一つだけが示されている。そして、このフォロアーピン４９ａは、第２キー筒４７のカム溝４７ａと第１キー筒４５のカム溝４５ｃを貫通し、先端を回転筒４４のキー溝４４ｃに嵌合させている。また、このカム筒４９の被写体側の端面には、第３キー筒４８のフック部４８ｃが係合している。そのため、このカム筒４９は、回転筒４４と共に回転するが、光軸方向へは、回転筒４４とは別に、二つのキー筒４７，４８と共に移動するようになっている。そして、このカム筒４９には、等間隔の角度位置に三つのカム溝４９ｂが貫通溝として形成され、内周面には、等間隔の角度位置に三つのカム溝４９ｃが有底溝として形成されているが、図９及び図１４においては、各々、それらのうちの一つだけが示されている。
【００５４】
第２キー筒４７と第３キー筒４８の間において、第２キー筒４７側に配置されている直進筒５０は、外周面に二つのキー５０ａを形成していて、内周面には三つのフォロアーピン５０ｂを設けているが、図９及び図１４においては、各々一つずつが示されており、図１１においては図示を省略されている。そして、キー５０ａは、第２キー筒４７のキー溝４７ｂに嵌合し、フォロアーピン５０ｂは、カム筒４９のカム溝４９ｂに嵌合している。そのため、この直進筒５０は、カム筒４９が回転すると、第２キー筒４７のキー溝４７ｂに案内されて、光軸方向へ直線的に移動するようになっている。また、この直進筒５０は、被写体側に、撮影光路用の開口部を形成した壁部５０ｃを有していて、そこに種々の部材を取り付けているが、その構成については後述する。上記したカム筒４９の三つのカム溝４９ｃには、移動部材５１の外周面に等間隔に設けられた三つのフォロアーピン５１ａが嵌合しているが、それらのフォロアーピン５１ａは、第３キー筒４８のキー溝４８ｂを貫通してカム溝４９ｃに嵌合しているため、カム筒４９が回転すると、移動部材５１が、キー溝４８ｂに案内され、光軸方向へだけ直線的に移動するようになっている。
【００５５】
移動部材５１には、シャッタ装置と第２レンズ群が取り付けられている。先ず、図示を省略されているシャッタ装置の概要を説明する。移動部材５１の被写体側の面には、シャッタ羽根や絞り羽根を往復回転させるモータ等の駆動手段が取り付けられている。また、移動部材５１の撮像装置４２側には、所定の間隔を空けてカバー板５２が取り付けられており、それらの間に図示していないシャッタ羽根や絞り羽根を配置している。そのため、この移動部材５１は、シャッタ装置という観点からはシャッタ地板であるともいえる。但し、このようには構成せず、シャッタ装置をユニットとして構成し、そのユニットを移動部材５１に取り付けていても構わない。次に、第２レンズ群５３はレンズ枠５４に取り付けられていて、そのレンズ枠５４は移動部材５１に取り付けられている。そして、移動部材５１には、後述のステップモータに接続された図示していないフレキシブルプリント配線板を挿入させるための孔５１ｂが形成されているが、このほかにも、図示していないシャッタ装置の駆動手段に接続されたフレキシブルプリント配線板や、後述するセンサに接続されたフレキシブルプリント配線板を挿入させる孔も形成されている。
【００５６】
次に、上記の直進筒５０に組み付けられている部材を順に説明する。先ず、上記の壁部５０ｃの被写体側には、所定の間隔を空けて、撮影光路用の開口部を有する前板５５が取り付けられており、壁部５０ｃと前板５５との間に、図示していないバリア板を配置するようになっている。また、壁部５０ｃの撮像装置４２側には、所定の間隔を空け、図示していない手段によって、モータ取付板５６が取り付けられており、そのモータ取付板５６の撮像装置４２側には、ステップモータ５７が取り付けられ、さらにステップモータ５７の撮像装置４２側には、支持板５８が取り付けられている。そして、ステップモータ５７に接続された図示していないフレキシブルプリント配線板は、上記の移動部材５１に形成された孔５１ｂと、本体部材４１に設けられた図示していないスリットとに挿入され、カメラ本体内の電源に接続されている。また、壁部５０ｃとモータ取付板５６との間には、ステップモータ５７の出力軸に取り付けられた歯車５９が配置されている。
【００５７】
図１０に拡大して示されているように、金属製のリードスクリュー６０は、雄ねじ部６０ａを有しており、一端の軸部６０ｂを、直進筒５０の壁部５０ｃに形成された孔に嵌合させ、他端の軸部６０ｃを、支持板５８に形成された孔に嵌合させることにより、回転可能となっている。また、雄ねじ部６０ａと軸部６０ｂの間には歯車６１が取り付けられているが、この歯車６１は、壁部５０ｃとモータ取付板５６の間に配置されており、モータ取付板５６がその歯車６１を抑えるこよによって、リードスクリュー６０の軸部６０ｂが壁部５０ｃの孔から抜けないようになっている。また、雄ねじ部６０ａと軸部６０ｃの間には当接部材６２が取り付けられているが、この当接部材６２には、図１２において分かり易く示されているように、リードスクリュー６０の径方向へ突き出た当接部６２ａが設けられている。そして、このリードスクリュー６０は、上記の歯車５９によって、壁部５０ｃに設けられている軸５０ｄに対して回転可能に取り付けられている歯車６３を介し、回転させられるようになっている。
【００５８】
第１レンズ群６４を取り付けているレンズ枠６５は、図１１に示されているように、個別に形成した孔を、直進筒５０の壁部５０ｃに取り付けられた二つの案内ピン６６，６７に嵌合させている。そして、一方の案内ピン６６には、図１４に示されているように、ばね６８が緩く嵌装されていて、レンズ枠６５を撮像装置４２側へ付勢することによって、二つの役目をしている。その第１の役目は、リードスクリュー６０の雄ねじ部６０ａと後述のナット部材６９の雌ねじ部との螺合関係を安定させるためのガタ寄せの役目であり、第２の役目は、レンズ枠６５が暴走し、その雌ねじ部とリードスクリュー６０の雄ねじ部６０ａとの螺合がはずれても、リードスクリュー６０を逆転させると、再び螺合を可能にする役目であるが、その第２の役目については、後述の作動説明で理解できるようにする。また、もう一方の案内ピン６７は、図９に示されているように、先端面にねじ穴が形成されていて、そこに、ビス７０が螺合され、レンズ枠６５の抜け止めの役目をしている。
【００５９】
第１レンズ群６４を取り付けているレンズ枠６５の取付部６５ａは、直進筒５０の壁部５０ｃに取り付けられた筒部材７１内を光軸方向へ摺動し得るようになっている。また、レンズ枠６５には、合成樹脂製のナット部材６９が、周知のように、着脱可能ではあるが回転できないようにして取り付けられており、その雌ねじ部を、リードスクリュー６０の雄ねじ部６０ａに螺合させている。従って、レンズ枠６５は、リードスクリュー６０が回転すると、光軸方向へ移動させられるようになっている。更に、このレンズ枠６５には、ナット部材６９の取付部近傍位置に、支持板５８側、即ち撮像装置４２側へ突き出すようにして斜面を形成したカム部６５ｂが設けられている。
【００６０】
また、このレンズ枠６５には、案内ピン６６との嵌合位置近傍に、板状の遮光部６５ｃが形成されている。他方、直進筒５０の壁部５０ｃには、撮像装置４２側へ向けて形成された台部の先端に、センサ７２が取り付けられている。このセンサ７２は、スリットを間にして一方には発光部を他方には受光部を備えた、いわゆるフォトインターラプタであって、レンズ枠６５の遮光部６５ｃが、スリット内に入ってくることによって、受光部へ入射していた発光部からの光が遮断されるようになっている。そして、このセンサ７２に接続された図示していないフレキシブルプリント配線板は、上記の移動部材５１に形成された図示していない孔と、本体部材４１に設けられた図示していないスリットに挿通され、カメラ本体内の電源に接続されている。
【００６１】
上記の支持板５８には、軸部材７３が取り付けられていて、そこに、板状のストップ部材７４が回転可能に取り付けられている。このストップ部材７４は、支持板５８の被写体側に取り付けられていて、図１２から分かるように、長孔７４ａと、折曲部７４ｂと、カムフォロアー部７４ｃとを有しており、長孔７４ａをリードスクリュー６０の軸部６０ｃに嵌合させ、折曲部７４ｂを当接部材６２の当接部６２ａの作動軌跡内に臨ませ得るようにし、カムフォロアー部７４ｃをレンズ枠６５のカム部６５ｂに接触し得るようにしている。そして、このストップ部材７４は、ばね７５により、図１２において反時計方向へ回転するように付勢されているが、そのばね７５は、軸部材７３に巻回され、一端を支持板５８に掛け、他端をストップ部材７４に掛けている。
【００６２】
次に、本実施例の作動を説明する。本実施例は、ズーム機能を備えた沈胴式のレンズ鏡胴において、焦点調節に際しては、一番被写体側に配置されている第１レンズ群を移動させるようにしたものである。そして、カメラの不使用状態においては、図９に示された回転筒４４と、三つのキー筒４５，４７，４８と、カム筒４９と、直進筒５０とは、撮像装置４２側へ繰り込まれて、固定筒４３内に収容されており、いわゆる沈胴状態となっている。そして、その沈胴状態においては、直進筒５０の壁部５０ｃと前板５５との間に配置されている図示していない２枚のバリア板が、第１レンズ群６４の前面を覆っている。
【００６３】
このような沈胴状態においてカメラの電源をオンにすると、図示していないステップモータが回転して歯車４６を回転させる。そのため、回転筒４４はカム筒４９を伴って、回転しながら被写体側にも移動させられるが、第１キー筒４５，第２キー筒４７，第３キー筒４８，移動部材５１，直進筒５０は、回転することなく被写体側に直進させられ、第１レンズ群６４と第２レンズ群５３を繰り出していく。このとき、回転筒４４と、三つのキー筒４５，４７，４８と、カム筒４９とは同じ速度で被写体側へ移動するが、移動部材５１と直進筒５０とはそれらよりも速く、さらに直進筒５０の方が移動部材５１よりも速く移動する。また、この繰り出し作動の過程において、上記の２枚のバリア板は、開き作動を行い、第１レンズ群６４の前面から退いて行く。
【００６４】
このようにして、繰り出し作動の終了した状態が、図９に示された初期状態（撮影待機状態）であり、本実施例の場合には、この初期状態のとき、撮影レンズ（第１レンズ群６４，第２レンズ群５３）は、広角端での撮影可能状態となっている。但し、図９〜図１２は、焦点調節用の第１レンズ群６４を取り付けたレンズ枠６５がリードスクリュー６０の一端方向、即ち撮像装置４２側へ暴走したときの状態を示したものであるため、正常な場合には、レンズ枠６５の初期位置は、図９に示されている位置よりも、若干左側（被写体側）ということになる。そこで、以下においては、先ず、レンズ枠６５が、正常に作動する場合で説明し、その後に、異常作動を行った場合について説明する。
【００６５】
上記のようにして、初期状態（撮影待機状態）となった後、撮影者が、この状態での撮影を望まない場合は、撮影レンズと連動して作動させられる図示していないズームファインダを覗きながら、図示していないステップモータを正・逆転させ、直進筒５０と移動部材５１とを光軸方向に同時に移動させることによって、第１レンズ群６４と第２レンズ群５３との相対位置関係を変え、所望の倍率の画角を選択する。そして、所望の画角が決まった後、レリーズボタンを押すと、先ず、焦点調節が自動的に行われ、続いて、撮像装置４２による撮影が行われる。
【００６６】
そこで、先ず、焦点調節について説明する。焦点調節を行うには、ステップモータ５７を回転させることによって、レンズ枠６５だけを初期位置から移動させ、第１レンズ群６４と第２レンズ群５３との相対位置を変えるようにする。即ち、ステップモータ５７が回転すると、その回転は、歯車５９から歯車６３を介して歯車６１に伝達され、リードスクリュー６０が回転させられるため、ナット部材６９を取り付けているレンズ枠６５は、リードスクリュー６０の回転方向に対応した方向へ、光軸に沿って移動させられ、合焦位置で停止させられる。
【００６７】
このようにして、焦点調節が終了すると、撮像装置４２による撮影が行われる。周知のように、この種のデジタルカメラの場合には、シャッタ羽根の作動は、二つのシーケンスのいずれかで行われる。その一つは、光学ファインダを備えていて、シャッタ羽根が、露光開口を閉鎖している状態をシャッタの初期状態とし、撮影に際しては、先ず、シャッタ羽根を全開にさせておいてから撮影をスタートするようにしたノーマリークローズタイプと称されているものである。また、もう一つは、シャッタ羽根が、露光開口を全開にした状態をシャッタの初期状態とし、撮影は、その状態から直ちにスタートするようにしたノーマリーオープンタイプと称されているものである。上記の実施例１においては、それらのうち、比較的多く採用されているノーマリーオープンタイプの場合で説明したので、本実施例は、ノーマリークローズタイプの場合で説明する。
【００６８】
レリーズボタンが押されると、図示していないシャッタ羽根は、駆動手段によって開き作動を行わされ、露光開口部を開いていく。そのため、その開き始めた時点から、撮像装置４２の固体撮像素子は、第１レンズ群６４と第２レンズ群５３を通過してきた被写体光にさらされ、電荷が蓄積されていく。そして、シャッタ羽根が全開状態になり、且つ必要に応じて作動させられる絞り羽根の作動が終了すると、それまでに固体撮像素子に蓄積されていた電荷が放出され、撮影のための電荷の蓄積が開始される。その後、所定の時間が経過すると、露光時間制御回路からの信号によって、シャッタ羽根は、閉じ作動を行わされる。そして、シャッタ羽根が閉鎖状態になると、直ちに撮像情報が固体撮像素子から画像記憶装置に転送される。その後、ステップモータ５７を回転させて、レンズ枠６５を初期位置へ復帰させるが、その回転は、レンズ枠６５の遮光部６５ｃがセンサ７２の光路を遮断することによって停止させられ、次の撮影待機状態となる。
【００６９】
ところで、本実施例のレンズ鏡胴を備えたカメラの場合にも、携帯中に落としてしまったり、卓上などから落としてしまったりすると、レンズ鏡胴の構成部材に対して光軸方向に大きな衝撃が加わることがある。特に、沈胴状態からレンズ群を繰り出した状態で携帯しているときには、直進筒５０に取り付けられている前板５５を、他の物体にぶつけてしまうことがある。そして、そのような場合には、直進筒５０に対して、撮像装置４２側へ強い力が加わることになる。ところが、本実施例の場合には、カム筒４９のカム溝４９ｂが貫通溝として形成されていて、光軸に対して９０度の面でフォロアーピン５０ｂと線接触するように構成されているため、カム溝４９ｂの接触面とフォロアーピン５０ｂとの間にカム作用が生じず、フォロアーピン５０ｂがカム溝４９ｂから外れてしまうようなことがない。
【００７０】
また、直進筒５０に取り付けられている前板５５は、他の物体にぶつけたり、他の物体に押されたりしないで、レンズ枠６５だけが、第１レンズ群６４と共に、撮像装置４２側に強く押されてしまうことがある。そして、そのように押された場合には、レンズ枠６５が、若干傾いた状態にさせられて、案内ピン６６，６７の少なくとも一方から抜けてしまうことがある。なぜならば、沈胴状態になったときの収容スペースを考慮して、案内ピン６６，６７を、両方とも長くすることが困難な場合が多いことと、ナット部材６９の取付部には遊びが設けられているためである。そして、本実施例の場合、図１１から分かるように、案内ピン６７の方が案内ピン６６よりも、リードスクリュー６０から遠い位置にある。しかも、図９と図１４を比較してみれば分かるように、案内ピン６７の方が案内ピン６６よりも短い。従って、本実施例の場合には、レンズ枠６５が案内ピン６７から抜け易いことになる。ところが、本実施例の場合には、その案内ピン６７の先端に、抜け止め用としてビス７０を螺合させているので、抜けるおそれが全くない。
【００７１】
このようにして、撮影が繰り返して行われ、もはや撮影をする意志のない場合には、カメラの電源スイッチをオフにするが、そのようにした場合でも遅延回路が働いていて、所定時間だけはオン状態が継続し、図示していないステップモータを回転させ得るようになっている。そのため、電源スイッチがオフになると、そのステップモータの回転によって、歯車４６を回転させ、回転筒４４とカム筒４９を、回転させながら撮像装置４２側へ移動させ、その他の筒部材４５，４７，４８，５０を、直進的に撮像装置４２側へ移動させると共に、図示していないバリア板を閉じさせていく。そして、そのステップモータの回転は、図示していないセンサが、回転筒４４の沈胴位置を検出することによって停止する。
【００７２】
次に、レンズ枠６５が、焦点調節時に、正常の作動範囲を超えて、暴走してしまった場合を説明しておく。上記したように、図９〜図１２は、レンズ枠６５が撮像装置４２側へ暴走したときの状態を示したものである。そのため、沈胴状態から繰り出された初期状態においては、レンズ枠６５の初期位置は、図１０に示された位置よりも若干左側の位置であって、カム部６５ｂは、ストップ部材７４のカムフォロアー部７４ｃに接触していない。そして、その正常な初期状態において、図１２と同じように、図１０の右側から見て示した平面図が図１３である。
【００７３】
この図１３の状態においては、ストップ部材７４は、ばね７５の付勢力によって反時計方向へ回転させられており、その長孔７４ａの左端縁が、リードスクリュー６０の軸部６０ｃに当接することによって停止させられている。そして、このとき、ストップ部材７４の折曲部７４ｂは、当接部材６２の当接部６２ａの作動軌跡外へ退かされている。焦点調節が行われる場合には、レンズ枠６５は、このような初期位置から、リードスクリュー６０の回転によって、被写体側へ移動されて行くが、カム部６５ｂはストップ部材７４から遠ざかって行くだけであるから、レンズ枠６５は何の支障もなく合焦位置まで移動させられ、上記のようにして撮影が行われる。そして、撮影が終了すると、レンズ枠６５は、撮像装置４２側へ移動させられ、上記したように、センサ７２が遮光部６５ｃを検出することによって、初期位置で停止させられる。従って、その状態は、図１３の状態と同じである。
【００７４】
ところが、レンズ枠６５が、上記のように合焦位置から初期位置へ戻るとき、初期位置で停止せず、暴走（オーバーラン）をしてしまうことがある。その原因は、組立調整時におけるコネクタの接続不良が主であるが、例えばセンサ７２の取付位置がずれていたというようなこともある。
【００７５】
本実施例においては、そのような暴走が生じると、図１３において、レンズ枠６５のカム部６５ｂが、ストップ部材７４のカムフォロワー部７４ｃを押して、ストップ部材７４を、ばね７５の付勢力に抗して時計方向へ回転させ、ストップ部材７４の長孔７４ａの右端縁をリードスクリュー６０の軸部６０ｃに当接させることによって、折曲部７４ｂを当接部材６２の当接部６２ａの作動軌跡内に位置させる。そして、その直後には、図１３において時計方向へ回転してきた当接部材６２の当接部６２ａが、その折曲部７４ｂに当接することによって、リードスクリュー６０の回転が停止させられる。
【００７６】
図９〜図１２はその停止状態を示したものであるが、本実施例の場合には、ストップ部材７４がカム部６５ｂに押されて回転を開始してから、リードスクリュー６０の回転が停止させられるまでを、リードスクリュー６０の１回転以内で行うようにしているため、その間、レンズ枠６５は、リードスクリュー６０の雄ねじ部６０ａの１ピッチの範囲内、即ちナット部材６９の雌ねじ部の１ピッチの範囲内でしか移動しなかったことになる。従って、このことからも、リードスクリュー６０の長さを長くしなくて済むようになっている。
【００７７】
ところで、レンズ枠６５の暴走は、上記のように、合焦位置から初期位置へ移動するときだけではなく、初期位置から合焦位置へ移動するときにも生じることがある。そのため、その場合にも、上記のような暴走対策構成を採用すれば、リードスクリュー６０の長さを長くしなくて済むという観点からは極めて優れた構成になる。しかしながら、本実施例の場合には、そこまでしなくてもよいケースであるため、初期位置から合焦位置へ移動するときの暴走対策構成としては、周知の構成を採用している。
【００７８】
即ち、レンズ枠６５が、初期位置から移動を開始して、合焦位置で停止せず、しかも、所定の焦点調節範囲を超えて暴走してしまったときには、ナット部材６９の雌ねじ部はリードスクリュー６０の雄ねじ部６０ａからはずれるようになっている。そのはずれた状態が図１４に示されている。ところが、このとき、レンズ枠６５は、ばね６８によって撮像装置４２側に付勢されており、しかも、その付勢力は最大になっている。そのため、図１４において、リードスクリュー６０の雄ねじ部６０ａの左端と、ナット部材６９の雌ねじ部の右端とは接触状態を保っており、リードスクリュー６０だけが空回りをするようになっている。従って、所定の修理を終え、リードスクリュー６０を逆転させた場合には、ナット部材６９の雌ねじ部は、ばね６８の付勢力の助けを借り、リードスクリュー６０の雄ねじ部６０ａに螺合させられ、レンズ枠６５が初期位置へ復帰できるようになっている。尚、この図１４に示された状態を見れば、この暴走対策構成よりも、上記した撮像装置４２側への暴走対策構成の方が、リードスクリュー６０の長さを短くする上で、いかに有利な構成であるかを理解することができる。
【図面の簡単な説明】
【００７９】
【図１】実施例１の沈胴状態（カメラの不使用状態）における断面図である。
【図２】図２（ａ）は図１に示されているカム筒を展開して内側から見た図であり、図２（ｂ）は図１に示されているキー筒を展開して内側から見た図である。
【図３】図１の沈胴状態において、第２移動部材に取り付けられている部材を撮像装置側から見て示した平面図である。
【図４】図３の状態における絞り機構と、第３レンズ群の保持部材とを分かり易く示した平面図である。
【図５】第１〜第３レンズ群が、図１の位置から広角端撮影位置に繰り出された状態を示した断面図である。
【図６】図５の状態を、図３と同じようにして示した平面図である。
【図７】第１〜第３レンズ群の望遠端撮影位置を示した実施例１の断面図である。
【図８】絞り羽根が、図４，図６に示された最大絞り開口制御位置から所定の絞り開口制御位置へ作動させられた状態を示した平面図である。
【図９】焦点調節用の第１レンズ群がリードスクリューの一端方向へ暴走した状態を示す実施例２の断面図である。
【図１０】図９の一部を拡大して示した断面図である。
【図１１】図９に示されている直進筒内を撮像装置側から見た平面図である。
【図１２】図１１の一部を拡大して示した平面図である。
【図１３】図１２と同じようにして見て正常状態を示した平面図である。
【図１４】第１レンズ群がリードスクリューの他端方向へ暴走した状態を示す実施例２の断面図である。
【符号の説明】
【００８０】
１，４１                        本体部材
１ａ，６６，６７                案内ピン
２，４２                        撮像装置
３，５６                        モータ取付板
４，３３                        モータ
４ａ                            出力軸
５，３６，７０                  ビス
６，６０                        リードスクリュー
７                              第４レンズ群
８，２３，５４，６５            レンズ枠
９，６９                        ナット部材
１０，４３                      固定筒
１０ａ，１４ｃ，１４ｄ，１４ｅ，１４ｆ，２８ａ，４３ａ，４５ｃ，４７ａ，４９ｂ，４９ｃ  カム溝
１０ｂ，１５ｃ，１５ｄ，１５ｅ，１５ｆ，４３ｂ，４４ｃ，４５ｄ，４７ｂ，４８ｂ  キー溝
１１，２５ｃ，２５ｄ，２５ｅ，４１ａ，５０ｄ  軸
１２，４６，５９，６１，６３    歯車
１３，４４                      回転筒
１３ａ，４４ａ                  部分歯車
１３ｂ，１６ａ，１７ａ，２４ａ，２５ａ，４４ｂ，４９ａ，５０ｂ，５１ａ  フォロアーピン
１４，４９                      カム筒
１４ａ                          突起
１４ｂ，４５ａ，４８ｃ          フック部
１５                            キー筒
１５ａ                          溝
１５ｂ，４５ｂ，４８ａ，５０ａ  キー
１６                            補助筒
１７，５０                      直進筒
１７ｂ，１７ｃ                  逃げ部
１８，５５                      前板
１８ａ，２５ｂ，２７ａ          開口部
１９，２７，５２                カバー板
２０，２１                      バリア板
２２，６４                      第１レンズ群
２４                            第１移動部材
２４ｂ，３５ａ                  レンズ保持部
２５                            第２移動部材
２６，５３                      第２レンズ群
２７ｂ                          ストッパーピン
２８                            駆動リング
２８ｂ                          押動部
２８ｃ                          歯部
２９                            絞り羽根
２９ａ                          羽根軸
２９ｂ                          係合ピン
３０，３１                      シャッタ羽根
３２，５７                      ステップモータ
３２ａ，３２ｂ，３３ａ          コイル
３２ｃ，３２ｄ，３３ｂ          ヨーク
３２ｅ                          出力歯車
３２ｆ，３３ｃ                  回転子
３３ｄ                          出力ピン
３４                            ２段歯車
３５                            レンズ保持部材
３５ｂ                          被押動ピン
３５ｃ，６２ａ                  当接部
３７                            第３レンズ群
３８，６８，７５                ばね
４３ｃ，４３ｄ                  張出部
４５                            第１キー筒
４７                            第２キー筒
４８                            第３キー筒
５０ｃ                          壁部
５１                            移動部材
５１ｂ                          孔
５８                            支持板
６０ａ                          雄ねじ部
６０ｂ，６０ｃ                  軸部
６２                            当接部材
６５ａ                          取付部
６５ｂ                          カム部
６５ｃ                          遮光部
７１                            筒部材
７２                            センサ
７３                            軸部材
７４                            ストップ部材
７４ａ                          長孔
７４ｂ                          折曲部
７４ｃ                          カムフォロアー部
【図１】
2008040427.tif 000003
【図２】
2008040427.tif 000004
【図３】
2008040427.tif 000005
【図４】
2008040427.tif 000006
【図５】
2008040427.tif 000007
【図６】
2008040427.tif 000008
【図７】
2008040427.tif 000009
【図８】
2008040427.tif 000010
【図９】
2008040427.tif 000011
【図１０】
2008040427.tif 000012
【図１１】
2008040427.tif 000013
【図１２】
2008040427.tif 000014
【図１３】
2008040427.tif 000015
【図１４】
2008040427.tif 000016